(57)【要約】【課題】    光量検出手段に入射する光量を増加させることができる画像形成装置を得る。【解決手段】  光路変更装置４０によって、面発光レーザ３４から出射されたレーザビームの光路を、ポリゴンミラー４２又は光量検出装置４８に向かうように切り換えることで、面発光レーザ３４から出射されたレーザビームをハーフミラーで分割しポリゴンミラー４２及び光量検出装置４８へそれぞれ入射させる場合と比較して、光量検出装置４８に入射する光量を増加させることができる。このため、光量検出装置４８による光量の検出精度を高くすることができ、また、光量検出装置４８による検出結果に基づいて、面発光レーザ３４の光量を制御することで、光量が均一化され、画質に影響を与えないする画像形成装置を得ることができる。【選択図】        図２
2006192633.tif 000002
【特許請求の範囲】
【請求項１】
前面発光の光源と、
前記光源から出射された光ビームを感光体上に結像させる光学系と、
前記光源から出射された光ビームの光量を検出する光量検出手段と、
を備え、
前記光源から出射された光ビームの光路を前記光学系又は前記光量検出手段に向かうように切り換える光路変更手段を有することを特徴とする画像形成装置。
【請求項２】
前記光路変更手段は、光ビームを反射して前記光量検出手段へ導き、光ビームを透過して前記光学系へ導くことを特徴とする請求項１に記載の画像形成装置。
【請求項３】
前記光路変更手段は、光ビームを反射して前記光量検出手段へ導き、光ビームの光路上から退避して光ビームを前記光学系へ導くことを特徴とする請求項１に記載の画像形成装置。
【請求項４】
前記光路変更手段は、光ビームの反射角度を切り替えて、前記光源から出射された光ビームの光路を前記光学系又は前記光量検出手段へ導くことを特徴とする請求項１に記載の画像形成装置。
【請求項５】
光を集光するレンズ手段を前記光路変更手段と前記光量検出手段の間に設けたことを特徴とする請求項１〜４の何れか１項に記載の画像形成装置。
【請求項６】
前記光源から出射され平行光化され断面形状が整形された光ビームの光路を切り換えることを特徴とする請求項１〜５の何れか１項に記載の画像形成装置。
【請求項７】
前記光路変更手段が、画像エリアにおいては、光ビームを前記光学系に向かうようにし、画像エリア外で、光ビームを前記光量検出手段に向かうように切り換えることを特徴とする請求項１〜６の何れか１項に記載の画像形成装置。
【請求項８】
前面発光の光源と、
前記光源から出射された光ビームを平行光化するコリメート手段と、
前記コリメート手段を通過した光ビームの断面形状を整形する開口部が形成され、前記開口部以外の領域が反射面であり、前記開口部を通過した光ビームを感光体上に結像させる光学系へ導き、前記反射面により反射された光ビームを前記光源から出射された光ビームの光量を検出する光量検出手段へ入射させるアパーチャと、
を有することを特徴とする画像形成装置。
【発明の詳細な説明】
【技術分野】
【０００１】
本発明は、前面光で光量制御を行う光走査装置を有する画像形成装置に関する。
【背景技術】
【０００２】
光源からの光ビームを偏向し、感光体に光ビームを走査して静電潜像を形成する光走査装置においては、近年、光走査装置の高速化、高走査密度化の手段として、光源をマルチビーム化することが行なわれている。面発光レーザ（ＶＣＳＥＬ）はアレイ化も容易で、光源に面発光レーザを用いたマルチビームの光走査装置も多く提案されている。
【０００３】
ところで、通常、光走査装置では、光源からの光をフィードバックして光量制御が行なわれているが、面発光レーザは端面発光レーザと異なり、裏面出射するビーム（バックビーム）が出ないため、フィードバックのために前面からの出射光の一部をハーフミラー等で分割し、分割されたビームを光量検出装置に導いて光量を制御する必要がある（例えば、特許文献１、２）。
【０００４】
しかしながら、光源からの出射光を分割するため、光量検出装置に入射する光量が小さくなってしまう。また、光源の数が多くなると、光源当りの必要光量が非常に小さくなってしまい、光量の制御精度が悪くなるだけでなく、周辺のノイズの影響を受け、光量が変動し、画質に悪影響を受けてしまう可能性がある。
【特許文献１】特開平８−３３０６６２号公報
【特許文献２】特開平９−２４３９４９号公報
【発明の開示】
【発明が解決しようとする課題】
【０００５】
本発明は上記事実を考慮し、光量検出装置に入射する光量を増加させることができる画像形成装置を得ることが目的である。
【課題を解決するための手段】
【０００６】
上記の目的を達成するために、請求項１に記載の発明は、画像形成装置において、前面発光の光源と、前記光源から出射された光ビームを感光体上に結像させる光学系と、前記光源から出射された光ビームの光量を検出する光量検出手段と、を備え、前記光源から出射された光ビームの光路を前記光学系又は前記光量検出手段に向かうように切り換える光路変更手段を有することを特徴とする。
【０００７】
請求項１に記載の発明では、光路変更手段によって、光源から出射された光ビームの光路を、光学系又は光量検出手段に向かうように切り換えることで、光源から出射された光ビームをハーフミラー等で分割し光学系及び光量検出手段へそれぞれ入射させる場合と比較して、光量検出手段に入射する光量を増加させることができる。
【０００８】
このため、光量検出手段による光量の検出精度を高くすることができる。ここで、光量検出手段による検出結果に基づいて、光源の光量を制御することで、光量が均一化され、画質に影響を与えないする画像形成装置を得ることができる。
【０００９】
請求項２に記載の発明は、請求項１に記載の画像形成装置において、光ビームを反射して前記光量検出手段へ導き、光ビームを透過して前記光学系へ導くことを特徴とする。
【００１０】
請求項３に記載の発明は、請求項１に記載の画像形成装置において、光ビームを反射して前記光量検出手段へ導き、光ビームの光路上から退避して光ビームを前記光学系へ導くことを特徴とする。
【００１１】
請求項４に記載の発明は、請求項１に記載の画像形成装置において、前記光路変更手段は、光ビームの反射角度を切り替えて、前記光源から出射された光ビームの光路を前記光学系又は前記光量検出手段へ導くことを特徴とする。
【００１２】
請求項５に記載の発明は、請求項１〜４の何れか１項に記載の画像形成装置において、光を集光するレンズ手段を前記光路変更手段と前記光量検出手段の間に設けたことを特徴とする。
【００１３】
請求項５に記載の発明では、光を集光するレンズ手段を光路変更手段と光量検出手段の間に設けることで、光路変更手段によって入射された光ビームを確実に光量検出手段へ入射させることができる。
【００１４】
請求項６に記載の発明は、請求項１〜５の何れか１項に記載の画像形成装置において、前記光源から出射され平行光化され断面形状が整形された光ビームの光路を切り換えることを特徴とする。
【００１５】
光源から出射された光ビームはコリメートレンズによって平行光化され、アパーチャに形成された開口部を通過することによって、平行光化された光ビームの断面形状が整形される。
【００１６】
請求項６に記載の発明では、コリメートレンズ及びアパーチャを通過した光ビームの光路を切り換えることで、光学系又は光量検出手段に導かれた光ビームは、双方とも拡がり角のバラツキや温度による変化が同じになる。このため、光量検出手段に入射される光ビームの光量に基づいて光源の光量を制御することで、感光体上を走査する光ビームの光量を一定に制御する事が出来る。
【００１７】
請求項７に記載の発明は、請求項１〜６の何れか１項に記載の画像形成装置において、前記光路変更手段が、画像エリアにおいては、光ビームを前記光学系に向かうようにし、画像エリア外で、光ビームを前記光量検出手段に向かうように切り替えることを特徴とする。
【００１８】
請求項８に記載の発明は、画像形成装置において、前面発光の光源と、前記光源から出射された光ビームを平行光化するコリメート手段と、前記コリメート手段を通過した光ビームの断面形状を整形する開口部が形成され、前記開口部以外の領域が反射面であり、前記開口部を通過した光ビームを感光体上に結像させる光学系へ導き、前記反射面により反射された光ビームを前記光源から出射された光ビームの光量を検出する光量検出手段へ入射させるアパーチャと、を有することを特徴とする。
【００１９】
請求項８に記載の発明では、アパーチャには、コリメート手段を通過した光ビームの断面形状を整形する開口部が形成され、該開口部以外の領域を反射面としている。これにより、開口部を通過した光ビームを光学系へ導き、反射面により反射された光ビームを光量検出手段へ導く。
【００２０】
このため、ハーフミラーで分割した後、さらにアパーチャの開口部を通過させる場合と比較して、光学系への光量を増加させることができる。また、この場合、例えば、光路を切り換えるための切り替え装置等が不要なため、その分コストダウンを図ることができる。
【発明の効果】
【００２１】
本発明は、上記構成としたので、請求項１〜４及び７に記載の発明では、光路変更手段によって、光源から出射された光ビームの光路を、光学系又は光量検出手段に向かうように切り換えることで、光源から出射された光ビームをハーフミラー等で分割し光学系及び光量検出手段へそれぞれ入射させる場合と比較して、光量検出手段に入射する光量を増加させることができる。このため、光量検出手段による光量の検出精度を高くすることができる。ここで、光量検出手段による検出結果に基づいて、光源の光量を制御することで、光量が均一化され、画質に影響を与えないする画像形成装置を得ることができる。
【００２２】
請求項５に記載の発明では、光を集光するレンズ手段を光路変更手段と光量検出手段の間に設けることで、光路変更手段によって入射された光ビームを確実に光量検出手段へ入射させることができる。
【００２３】
請求項６に記載の発明では、コリメートレンズ及びアパーチャを通過した光ビームの光路を切り換えることで、光学系又は光量検出手段に導かれた光ビームは、双方とも拡がり角のバラツキや温度による変化が同じになる。このため、光量検出手段に入射される光ビームの光量に基づいて光源の光量を制御することで、感光体上を走査する光ビームの光量を一定に制御する事が出来る。
【００２４】
請求項８に記載の発明では、開口部を通過した光ビームを光学系へ導き、反射面により反射された光ビームを光量検出手段へ導くため、ハーフミラーで分割した後、さらにアパーチャの開口部を通過させる場合と比較して、光学系への光量を増加させることができる。また、この場合、例えば、光路を切り換えるための切り替え装置等が不要なため、その分コストダウンを図ることができる。
【発明を実施するための最良の形態】
【００２５】
本発明の実施形態に係る画像形成装置について説明する。
（画像形成装置の構成）
図１に示すように、画像形成装置１０には、光走査装置（ＲＯＳ）１２が備えられており、光走査装置１２から出射されたレーザビームは、ドラム状の感光体１４上を照射可能となっている。
【００２６】
感光体１４の近傍には、帯電器１６が配設されており、光走査装置１２によって感光体１４の表面が照射させる前に感光体１４の表面を帯電させる。これにより、光走査装置１２によって感光体１４上が照射されると、感光体１４の表面に静電潜像が形成される。
【００２７】
また、感光体１４の照射部を間に置いて、帯電器１６の略反対側に位置する感光体１４の近傍には、現像装置１８が配設されており、光走査装置１２によって感光体１４の表面に形成された静電潜像をトナー像として可視化させる。
【００２８】
さらに、感光体１４の照射部の反対側に位置する感光体１４の近傍には、転写ローラ２０が配設されている。この転写ローラ２０と感光体１４との間には中間転写ベルト２２が設けられており、現像装置１８によって可視化されたトナー像が中間転写ベルト２２上に転写される。
【００２９】
中間転写ベルト２２はローラ２４、２６、２８により架け渡されており、給紙カセット（図示省略）から給紙された用紙Ｐの搬送速度に同期して回転している。ローラ２６には中間転写ベルト２２を間に置いて、転写ローラ３０が対向して配設されており、搬送された用紙Ｐがローラ２６と転写ローラ３０の間に送り込まれたとき、中間転写ベルト２２上に転写されたトナー像が用紙Ｐに転写される。
【００３０】
このようにして、トナー像が転写された用紙Ｐは、用紙の搬送方向下流側に配設された定着装置３２へ搬送される。この定着装置３２によって、用紙Ｐ上のトナー像が定着することとなる。
【００３１】
また、定着装置３２の用紙搬送方向下流側には、図示はしないが、用紙排出用の排出ロールが設けられており、トナー像が定着した用紙Ｐはこの排出ロールによって画像形成装置本体の上部に形成された収容トレイに排出される。
（光走査装置の構成）
図２に示すように、光走査装置１２は、光源としての面発光レーザ３４、コリメータレンズ３６、アパーチャ３８、光路変更装置４０を備えている。
【００３２】
面発光レーザ３４には、ＬＤ駆動部５２が接続しており、メインコントロール部５４から入力されたコントロール信号に基づいてＬＤ駆動部５２を介してレーザビームが照射される。面発光レーザ３４から出射されたレーザビームは、コリメータレンズ３６によって平行光化（コリメート）された後、アパーチャ３８に入射される。
【００３３】
アパーチャ３８には、長方形状の開口３８Ａが形成されており、開口３８Ａの長手方向は、感光体１４上でレーザビームが走査される主走査方向に対応し、幅方向は副走査方向に対応する。アパーチャ３８へ入射されたレーザビームは、開口３８Ａによってビームの断面形状が整形される。
【００３４】
このように、断面形状が整形されたレーザビームは、光路変更装置４０へ入射され、走査用ビームＳＢと、フィードバック用ビームＦＢと、にレーザビームの光路が切り換えられる（後述する）。
【００３５】
走査用ビームＳＢの進行方向には、ポリゴンミラー４２が配置されている。ポリゴンミラー４２は、側面に複数の反射面が設けられた正多角形状（本実施の形態では正六角形）とされ、走査用ビームＳＢはポリゴンミラー４２の反射面４２Ａに副走査方向のみ収束するようになっている。
【００３６】
また、ポリゴンミラー４２は、図示しないポリゴンモータに接続されており、ポリゴンモータの駆動力により、所定の回転速度で回転する。ポリゴンミラー４２の反射面４２Ａへの走査用ビームＳＢの入射角は、ポリゴンミラー４２の回転により連続的に変化し、反射面４２Ａで反射された走査用ビームＳＢは、感光体１４の軸線方向に走査される。
【００３７】
ポリゴンミラー４２により反射された走査用ビームＳＢの進行方向には、ｆθレンズ４４が配置されている。このｆθレンズ４４により、感光体１４に走査用ビームＳＢを照射するときの走査速度が等速度になるとともに、感光体１４の周面上に結像点が結ばれる
走査用ビームＳＢの進行方向で、かつ図２に示す感光体１４の右方には、位置検出センサ４６が配置されている。この位置検出センサ４６には、感光体１４が走査用ビームＳＢで走査される毎に、走査用ビームＳＢが入射される。位置検出センサ４６は、これにより、感光体１４へのラインごとの走査開始タイミング（ＳＯＳ）を検知し、その結果をＳＯＳ信号として出力している。
【００３８】
一方、フィードバック用ビームＦＢの進行方向には、光量検出装置４８が配置されている。図２及び図３（Ａ）に示すように、光量検出装置４８にはメインコントロ−ル部５４が接続されており、光路変更装置４０によって反射されたフィードバック用ビームＦＢによって光量検出装置４８で検出された光量のデータが、メインコントロール部５４へ入力される。
【００３９】
メインコントロール部５４では、光量検出装置４８に入射された光量に基づいて、面発光レーザ３４が所定の出力となるように、ＬＤ駆動部５２（光量制御装置）によって面発光レーザ３４の駆動電流を制御する。
【００４０】
ここで、本発明の実施形態に係る画像形成装置の要旨である光路変更装置４０について説明する。
（第１実施の形態）
光路変更装置４０の第１実施の形態について説明する。
【００４１】
図２に示すように、面発光レーザ３４から出射されたレーザビームは、コリメータレンズ３６により平行光化されたのち、アパーチャ３８の開口３８Ａを通過し、光路変更装置４０へ入射される。この光路変更装置４０は、メインコントロール部５４と接続されており、例えば、メインコントロール部５４からのコントロール信号が光路変更装置４０に入力されない状態（光路変更装置４０には電圧が印加されない状態）では、入射されたレーザビームを反射させ（フィードバック用ビームＦＢ）、メインコントロール部５４からのコントロール信号が光路変更装置４０に入力される（光路変更装置４０に電圧が印加される）と、入射されたレーザビームを透過させる（走査用ビームＳＢ）ようにする。
【００４２】
つまり、光路変更装置４０への電圧の印加の有無によって、光路変更装置４０に入射されたレーザビームを、光量検出装置４８への光路（フィードバック用ビームＦＢ）とポリゴンミラー４２への光路（走査用ビームＳＢ）に切り換えることができる。
【００４３】
そして、図５に示すように、画像エリアのタイミングでは、光路変更装置４０に電圧が印加された状態となり、レーザビームが光路変更装置４０を透過する。光路変更装置４０を透過したレーザビームは、ポリゴンミラー４２へ入射され、ポリゴンミラー４２によって偏向走査され、ｆθレンズ４４を介して走査速度補正を行い、感光体１４の表面を走査し画像信号に応じた潜像を形成する。
【００４４】
また、光量制御（以下、ＡＰＣと記述）エリアのタイミングでは、光路変更装置４０は電圧が印加されない状態となり、レーザビームは光路変更装置４０によって反射される。そして、光路変更装置４０によって反射されたレーザビームは、光量検出装置４８に入射される。
【００４５】
一方、図２に示すように、感光体１４上での主走査方向の画像信号書き込みタイミング信号ＳＯＳ（以降ＳＯＳと記述）を検出するため、感光体１４の走査領域外のレーザビーム走査領域には、位置検出センサ４６が配設されているが、図５に示すように、この位置検出センサ４６にレーザビームが入射されると、画像エリアのタイミングとなり、光路変更装置４０には電圧が印加された状態となる。そして、所定時間が経過すると、光路変更装置４０に電圧が印加されない状態となる。
【００４６】
このように、図２に示す光路変更装置４０によって、面発光レーザ３４から出射されたレーザビームの光路を、ポリゴンミラー４２又は光量検出装置４８に向かうように切り換えることで、例えば、面発光レーザ３４から出射されたレーザビームをハーフミラー（図示省略）で分割しポリゴンミラー４２及び光量検出装置４８へそれぞれ入射させる場合と比較して、光量検出装置４８に入射する光量を増加させることができる。
【００４７】
このため、光量検出装置４８による光量の検出精度を高くすることができ、また、図３（Ａ）に示すように、光量検出装置４８による検出結果に基づいて、面発光レーザ３４の光量を制御することで、光量が均一化され、画質に影響を与えないする画像形成装置１０を得ることができる。
【００４８】
また、面発光レーザ３４を構成するレーザの数が多くなると、光量検出装置４８で検出される光量が少ない場合、個々のレーザ３４Ａ当りの光量が非常に小さくなってしまい、各レーザ３４Ａ毎にフィードバックさせ、光量を調整しなければならなくなってしまう（図４参照）が、本発明のように、光量検出装置４８に入射する光量を増加させることで、レーザ３４Ａ当りの必要光量を確保することができ、図３（Ｂ）に示すように、各レーザ３４Ａ毎の光量調整は不要となる（図４参照）。
【００４９】
さらに、光量検出装置４８に入射されるレーザビーム（ＦＢ）と、感光体１４上を走査するレーザビーム（ＳＢ）は、双方ともコリメータレンズ３６とアパーチャ３８の開口３８Ａを通過した後であり、拡がり角のバラツキや温度による変化が同じである。
【００５０】
このため、光量検出装置４８に入射されるレーザビームの光量に基づいて面発光レーザ３４の光量を制御する事で、感光体１４上を走査するレーザビームの光量を一定に制御する事が出来る。
【００５１】
なお、ここでは、画像エリアのタイミングでは、光路変更装置４０に電圧を印加し、レーザビームが光路変更装置４０を透過するようにし、ＡＰＣエリアのタイミングでは、光路変更装置４０に電圧を印加しないようにして、レーザビームが光路変更装置４０を反射するようにしたが、光量検出装置４８やポリゴンミラー４２の配置によっては、光路変更装置４０の反射及び透過が逆であっても良い。
【００５２】
また、電圧の印加の有無によって、光路変更装置４０に入射されたレーザビームを反射又は透過させるようにしたが、入射されたレーザビームの光路を切り換えることができれば良いため、これに限るものではない。
【００５３】
例えば、光路変更装置４０を流れる電流値を変えることで、図６に示すように、光路変更装置４０に入射されたレーザビームの反射角度を変えるようにしても良い。これにより、光量検出装置４８に入射されるレーザビーム（ＦＢ）と、ポリゴンミラー４２へ入射されるレーザビーム（ＳＢ）とを切り換えるようにしても良い。
【００５４】
また、図７に示すように、光路変更装置４０と光量検出装置４８の間に、レーザビームを集光するレンズ５３を設けても良い。これにより、光路変更装置４０によって入射されたレーザビームを確実に光量検出装置４８へ入射させることができる。
（第２実施の形態）
次に、光路変更装置４０の第２実施の形態について説明する。なお、第１実施の形態と略同一の内容については説明を省略する。
【００５５】
図８に示すように、光路変更手段が反射ミラー５４であり、この反射ミラー５４は略コ字状のホルダー５６によって反射ミラー５４の肉厚方向の端面が包囲された状態で保持されている。このホルダー５６の幅方向の中央部には、ステッピングモータ５８と直結するシャフト６０が連結されている。
【００５６】
ステッピングモータ５８はメインコントロール部５４に接続されており、メインコントロール部５４からのコントロール信号によって、ステッピングモータ５８の駆動し、ホルダー５６を介して反射ミラー５４が所定角度回転する。
【００５７】
このような構成により、画像エリアのタイミングでは、反射ミラー５４をレーザビームの光路上から退避させ、レーザビームが通り抜ける位置に設定し、ポリゴンミラー４２へレーザビームを導き、ＡＰＣエリアのタイミングでは、反射ミラー５４をレーザビームの光路上に配置して、レーザビームを反射させ、光量検出装置４８へ導くようにする。これにより、第１実施の形態と同様の効果を得る事が出来る。
【００５８】
なお、ここでは、画像エリアのタイミングで、反射ミラー５４をレーザビームの光路上から退避させて、レーザービームをポリゴンミラー４２へ入射させ、ＡＰＣエリアのタイミングで、反射ミラー５４を光路上に配置し、レーザービームを光量検出装置４８へ向かって反射させたが、光量検出装置４８やポリゴンミラー４２の配置によっては、画像エリアのタイミングで、反射ミラー５４をレーザビームの光路上に配置し、レーザービームをポリゴンミラー４２へ入射させ、ＡＰＣエリアのタイミングで反射ミラー５４を光路上から退避させ、レーザービームを光量検出装置４８へ向かって反射させるようにしても良い。
【００５９】
また、これ以外にも、例えば、図９に示すように、反射ミラー５４は常にレーザビームの光路上に位置し、反射ミラー５４の入射面の角度を切替えて、画像エリアのタイミングでは、反射ミラー５４によってレーザビームがポリゴンミラー４２へ導かれ、ＡＰＣエリアのタイミングでは、反射ミラー５４によって光量検出装置４８へ導かれるようにしても良い。
【００６０】
また、第１実施形態及び第２実施形態では、アパーチャ３８とポリゴンミラー４２の間に、光路変更装置４０又は反射ミラー５４を配置したが、光量検出装置４８に入射する光量を増加させることのみを考慮するのであれば、面発光レーザ３４とコリメータレンズ３６の間に、光路変更装置４０を挿入しても良いのは勿論のことである。
（第３実施の形態）
光路変更装置４０の第３実施の形態について説明する。なお、第１実施の形態と略同一の内容については説明を省略する。
【００６１】
図１０に示すように、本実施形態では、第１実施形態及び第２実施形態のようにアパーチャ３８とポリゴンミラー４２の間に、光路変更装置４０又は反射ミラー５４を配置し、レーザビームの光路を切り換えて光量検出装置４８にレーザビームが入射されるようにするのではなく、ポリゴンミラー４２の感光体１４以外の走査領域（図１０に示す感光体１４の左方）に光量検出装置４８を配置している。
【００６２】
これにより、光量検出装置４８には、感光体１４を走査するレーザビームが入射されることになる。つまり、光量検出装置４８に入射されるレーザビームと感光体１４上を走査するレーザビームとは、拡がり角のバラツキや温度による変化が略同一となる。このため、該光量検出装置４８に入射されるレーザビームの光量に基づいて面発光レーザ３４の光量を制御することで、感光体１４上を走査するレーザビームの光量をより高い精度で一定に制御する事が出来る。
（第４実施の形態）
光路変更装置４０の第４実施の形態について説明する。なお、第１実施の形態と略同一の内容については説明を省略する。
【００６３】
図１１に示すように、アパーチャ６２において、開口部６２Ａ以外の領域をレーザビームの反射面６２Ｂとしている。これにより、開口部６２Ａを通過したレーザビームはポリゴンミラー４２へ入射され、反射面６２Ｂに入射されたレーザビームは光量検出装置４８へ入射されることとなる。
【００６４】
例えば、図示はしないが、ハーフミラーで分割させたレーザビームを、さらにアパーチャの開口部を通過させる場合と比較して、少なくともポリゴンミラー４２への光量は増加させることができる。また、この場合、例えば、光路を切り換えるための切り替え装置等が不要なため、その分コストダウンを図ることができる。
【００６５】
なお、本形態はあくまでも一実施例であり、本発明の主旨を逸脱しない範囲内において適宜変更可能であることは言うまでもない。
【図面の簡単な説明】
【００６６】
【図１】本発明の実施の形態に係る画像形成装置の概略構成を示す側面図である。
【図２】本発明の第１の実施形態に係る画像形成装置の光走査装置の構成を示す斜視図である。
【図３】（Ａ）は本発明の第１の実施形態に係る画像形成装置の光走査装置の構成を説明する説明図であり、（Ｂ）は該光走査装置の効果を説明する説明図である。
【図４】図３（Ｂ）に対応する従来の光走査装置の構成を示す説明図である。
【図５】本発明の第１の実施形態に係る画像形成装置の光走査装置の要旨を説明する説明図である。
【図６】本発明の第１の実施形態に係る画像形成装置の光走査装置の変形例を示す斜視図である。
【図７】本発明の第１の実施形態に係る画像形成装置の光走査装置の他の変形例を示す斜視図である。
【図８】本発明の第２の実施形態に係る画像形成装置の光走査装置の構成を示す斜視図である。
【図９】本発明の第２の実施形態に係る画像形成装置の光走査装置の変形例を示す斜視図である。
【図１０】本発明の第３の実施形態に係る画像形成装置の光走査装置の構成を示す斜視図である。
【図１１】本発明の第４の実施形態に係る画像形成装置の光走査装置の構成を示す斜視図である。
【符号の説明】
【００６７】
１０    画像形成装置
１２    光走査装置
３４    面発光レーザ（光源）
３６    コリメータレンズ（コリメート手段）
４０    光路変更装置（光路変更手段）
４２    ポリゴンミラー（光学系）
４８    光量検出装置（光量検出手段）
５２    レンズ（レンズ手段）
５４    反射ミラー（光路変更手段）
５８    ステッピングモータ（光路変更手段）
６２    アパーチャ
６２Ａ  開口部
６２Ｂ  反射面
【図１】
2006192633.tif 000003
【図２】
2006192633.tif 000004
【図３】
2006192633.tif 000005
【図４】
2006192633.tif 000006
【図５】
2006192633.tif 000007
【図６】
2006192633.tif 000008
【図７】
2006192633.tif 000009
【図８】
2006192633.tif 000010
【図９】
2006192633.tif 000011
【図１０】
2006192633.tif 000012
【図１１】
2006192633.tif 000013